(57)【要約】【課題】  印刷内容の全体を一枚の表面に印刷した付箋紙を容易に出力できる印刷制御装置の提供。【解決手段】  印刷制御装置は、印刷内容に含まれる文字数に対応付けて、当該文字数の文字情報を含む印刷内容の全体を一枚の表面に印刷できる付箋紙のサイズを格納する用紙サイズデータベースと、印刷内容を指定する印刷内容指定部と、印刷内容指定部によって指定された印刷内容に含まれる文字を計数する文字計数部と、文字計数部が計数した文字数以上の文字数に対応付けられている用紙サイズを用紙サイズデータベースから読み出して表示すると共に、表示した用紙サイズに対する利用者の選択を受け付ける用紙選択部と、利用者によって選択された用紙サイズと印刷内容とを含む印刷データを外部の印刷装置に出力する印刷データ出力部とを備える。【選択図】図４
2006146523.tif 000002
【特許請求の範囲】
【請求項１】
裏面の一部に接着剤が塗布された付箋紙の表面に利用者が指定した印刷内容を印刷するための印刷データを出力する印刷制御装置であって、
前記印刷内容に含まれる文字数に対応付けて、前記文字数の文字情報を含む前記印刷内容の全体を一枚の表面に印刷できる付箋紙のサイズを格納する用紙サイズデータベースと、
前記印刷内容を指定する印刷内容指定部と、
前記印刷内容指定部によって指定された前記印刷内容に含まれる文字を計数する文字計数部と、
前記文字計数部が計数した文字数以上の文字数に対応付けられている用紙サイズを前記用紙サイズデータベースから読み出して表示すると共に、表示した前記用紙サイズに対する利用者の選択を受け付ける用紙選択部と、
前記利用者によって選択された前記用紙サイズと前記印刷内容とを含む印刷データを外部の印刷装置に出力する印刷データ出力部と
を備える印刷制御装置。
【請求項２】
前記用紙選択部は、外部の印刷装置にセットされている前記付箋紙の用紙サイズを当該印刷装置から受信した後に、前記用紙サイズデータベースから読み出す用紙サイズと、前記印刷装置から受信する用紙サイズとに共通する用紙サイズを、利用可能な用紙サイズとして表示すると共に、前記利用可能な用紙サイズのうち前記利用者に選択された用紙サイズを前記印刷データ出力部に通知する、請求項１に記載の印刷制御装置。
【請求項３】
前記用紙選択部は、前記印刷装置にセットされている前記付箋紙の用紙サイズが、前記用紙サイズデータベースにおいて前記文字計数部が計数した前記文字数以上の文字数に対応付けられている前記用紙サイズよりも小さい場合に、前記印刷装置にセットされている前記付箋紙の一枚の前記表面に前記印刷内容の全体を印刷する場合の縮小率を計算すると共に、当該縮小率に応じた前記印刷内容の印刷プレビューと、当該印刷プレビューに対応する印刷を実行するか否かの確認要求を表示し、
前記印刷データ出力部は、前記印刷プレビューに対応する印刷を実行する旨の指示が入力されたことを条件に、前記縮小率を前記印刷データに関連づけて出力する、請求項２に記載の印刷制御装置。
【請求項４】
裏面の一部に接着剤が塗布された付箋紙の表面に利用者が指定した印刷内容を印刷する印刷装置であって、
複数の用紙サイズを有する前記付箋紙のそれぞれを位置決めするガイドが設けられている付箋紙トレイと、
前記付箋紙トレイにセットされている前記付箋紙の用紙サイズを判断する用紙情報出力部と、
前記印刷内容に含まれる文字数に対応付けて、前記文字数の文字情報を含む前記印刷内容の全体を一枚の表面に印刷できる付箋紙のサイズを格納する用紙サイズデータベースと、
前記印刷内容を指定する印刷内容指定部と、
前記印刷内容指定部によって指定された前記印刷内容に含まれる文字を計数する文字計数部と、
前記用紙サイズデータベースにおいて、前記文字計数部が計数した文字数以上の文字数に対応付けられている用紙サイズを読み出すと共に、当該読み出した用紙サイズと前記付箋紙トレイにセットされている用紙サイズとに共通する用紙サイズを、利用可能な用紙サイズとして表示すると共に、表示した前記用紙サイズに対する利用者の選択を受け付ける用紙選択部と、
前記利用者によって選択された前記用紙サイズと前記印刷内容とを含む印刷データを出力する印刷データ出力部と
前記付箋紙を支持している前記付箋紙トレイを搬送することによって、前記付箋紙への印刷が実行される印刷実行領域まで前記付箋紙を搬送するトレイ駆動部と、
前記印刷データを前記印刷データ出力部から受信すると共に、前記付箋紙トレイに支持されている前記付箋紙のうちで、前記利用者によって選択された前記用紙サイズの付箋紙に前記印刷データを印刷する印刷実行部とを備える印刷装置。
【請求項５】
裏面の一部に接着剤が塗布された付箋紙に利用者が指定した印刷内容を印刷するための印刷データを出力する印刷制御装置と、前記印刷制御装置から出力される印刷データを前記付箋紙の表面に印刷する印刷装置とを備える印刷システムであって、
前記印刷制御装置は、
前記印刷内容に含まれる文字数に対応付けて、前記文字数の文字情報を含む前記印刷内容の全体を一枚の表面に印刷できる付箋紙のサイズを格納する用紙サイズデータベースと、
前記印刷内容を指定する印刷内容指定部と、
前記印刷内容指定部によって指定された前記印刷内容に含まれる文字を計数する文字計数部と、
前記文字計数部が計数した文字数以上の文字数に対応付けられている用紙サイズを前記用紙サイズデータベースから読み出して表示すると共に、表示した前記用紙サイズに対する利用者の選択を受け付ける用紙選択部と、
前記利用者によって選択された前記用紙サイズと前記印刷内容とを含む印刷データを前記印刷装置に出力する印刷データ出力部と
を有し、
前記印刷装置は、
複数の用紙サイズを有する前記付箋紙のそれぞれを位置決めするガイドが設けられている付箋紙トレイと、
前記付箋紙トレイにセットされている前記付箋紙の用紙サイズを判断して前記印刷制御装置に出力する用紙情報出力部と、
前記利用者によって選択された前記用紙サイズと前記印刷内容とを含む前記印刷データを前記印刷制御装置から受信すると共に、前記付箋紙トレイに支持されている前記付箋紙のうちで、前記利用者によって選択された前記用紙サイズの付箋紙に前記印刷データを印刷する印刷実行部と、
前記付箋紙を支持している前記付箋紙トレイを搬送することによって、前記印刷実行部による前記付箋紙への印刷が実行される印刷実行領域まで前記付箋紙を搬送するトレイ駆動部と
を有し、
前記用紙選択部は、前記用紙サイズデータベースから読み出す用紙サイズと、前記印刷装置から受信する用紙サイズとに共通する用紙サイズを、利用可能な用紙サイズとして表示すると共に、前記利用可能な用紙サイズのうち前記利用者に選択された用紙サイズを前記印刷データ出力部に通知し、
前記印刷データ出力部は、前記利用者によって選択された前記用紙サイズと前記印刷内容とを含む前記印刷データを前記印刷装置に出力する印刷システム。
【請求項６】
裏面の一部に接着剤が塗布された付箋紙の表面に利用者が指定した印刷内容を印刷するための印刷データを出力するコンピュータ用のプログラムであって、前記コンピュータに、
前記印刷内容に含まれる文字数に対応付けて、前記文字数の文字情報を含む前記印刷内容の全体を一枚の表面に印刷できる付箋紙のサイズを格納する用紙サイズデータベースと、
前記印刷内容を指定する印刷内容指定部と、
前記印刷内容指定部によって指定された前記印刷内容に含まれる文字を計数する文字計数部と、
前記文字計数部が計数した文字数以上の文字数に対応付けられている用紙サイズを前記用紙サイズデータベースから読み出して表示すると共に、表示した前記用紙サイズに対する利用者の選択を受け付ける用紙選択部と、
前記利用者によって選択された前記用紙サイズと前記印刷内容とを含む印刷データを出力する印刷データ出力部と
の機能を実現させるプログラム。
【発明の詳細な説明】
【技術分野】
【０００１】
本発明は、裏面の一部に接着剤が塗布された付箋紙の表面に利用者が指定した印刷内容を印刷するための印刷制御装置、印刷装置、印刷システム、及びプログラムに関する。
【背景技術】
【０００２】
従来、パーソナルコンピュータ（以下、パソコンという）等で作成したテキスト情報をプリンタで印刷する場合、パソコンは印刷内容及び用紙サイズの指定を受け付け、印刷内容に含まれるテキストの数に応じて、指定された用紙サイズの１枚又は複数ページに印刷データを割り当ててプリンタに出力する。プリンタは、パソコンから受信する印刷データを、セットされている印刷用紙の１枚又は複数枚に印刷する。
【０００３】
一方、パソコンで指定する印刷内容を付箋紙に印刷するプリンタが提案されている。このプリンタは、付箋紙の束から付箋紙を一枚ずつ剥がして搬送し、パソコンで指定された各種データを印刷する（例えば、特許文献１）。
【特許文献１】特開２００３−８１４５７号公報
【発明の開示】
【発明が解決しようとする課題】
【０００４】
ここで、付箋紙への印刷を実行する場合、利用者は原則として印刷内容を付箋紙の一枚の表面に収めることを意図している。しかしながら、上記従来の技術では、指定された用紙サイズに対して印刷内容に含まれるテキストの数が多い場合、指定された用紙の複数ページに印刷データを割り当ててしまう。従って、印刷内容の全体を付箋紙の一枚に印刷する為には、用紙サイズを都度変更する手間がかかるという課題があった。
【課題を解決するための手段】
【０００５】
上記課題を解決するために、本発明の第１の形態においては、裏面の一部に接着剤が塗布された付箋紙の表面に利用者が指定した印刷内容を印刷するための印刷データを出力する印刷制御装置であって、印刷内容に含まれる文字数に対応付けて、当該文字数の文字情報を含む印刷内容の全体を一枚の表面に印刷できる付箋紙のサイズを格納する用紙サイズデータベースと、印刷内容を指定する印刷内容指定部と、印刷内容指定部によって指定された印刷内容に含まれる文字を計数する文字計数部と、文字計数部が計数した文字数以上の文字数に対応付けられている用紙サイズを用紙サイズデータベースから読み出して表示すると共に、表示した用紙サイズに対する利用者の選択を受け付ける用紙選択部と、利用者によって選択された用紙サイズと印刷内容とを含む印刷データを外部の印刷装置に出力する印刷データ出力部とを備える印刷制御装置が提供される。これにより、印刷内容の全体を一枚の表面に印刷できる用紙サイズを容易に選択でき、選択した用紙サイズを外部の印刷装置に通知できる。従って、印刷内容の全体を一枚の表面に印刷した付箋紙を容易に出力できる。
【０００６】
上記の印刷制御装置において、用紙選択部は、外部の印刷装置にセットされている付箋紙の用紙サイズを当該印刷装置から受信した後に、用紙サイズデータベースから読み出す用紙サイズと、印刷装置から受信する用紙サイズとに共通する用紙サイズを、利用可能な用紙サイズとして表示すると共に、利用可能な用紙サイズのうち利用者に選択された用紙サイズを印刷データ出力部に通知してもよい。これにより、印刷内容の全体を一枚の表面に印刷できる用紙サイズのうち、外部の印刷装置にセットされている用紙サイズの中から、印刷に使用する用紙サイズを利用者に容易に選択させることができる。従って、利用者は付箋紙への印刷を実行する場合に、仕上がりのイメージを正確に把握することができる。
【０００７】
上記の印刷制御装置において、用紙選択部は、印刷装置にセットされている付箋紙の用紙サイズが、用紙サイズデータベースにおいて文字計数部が計数した文字数以上の文字数に対応付けられている用紙サイズよりも小さい場合に、印刷装置にセットされている付箋紙の一枚の表面に印刷内容の全体を印刷する場合の縮小率を計算すると共に、当該縮小率に応じた印刷内容の印刷プレビューと、当該印刷プレビューに対応する印刷を実行するか否かの確認要求を表示し、印刷データ出力部は、印刷プレビューに対応する印刷を実行する旨の指示が入力されたことを条件に、縮小率を印刷データに関連づけて出力してもよい。これにより、外部の印刷装置にセットされている付箋紙の用紙サイズによらず、付箋紙の一枚の表面に印刷内容の全体を印刷することができる。
【０００８】
本発明の第２の形態によれば、裏面の一部に接着剤が塗布された付箋紙の表面に利用者が指定した印刷内容を印刷する印刷装置であって、複数の用紙サイズからなる付箋紙のそれぞれを位置決めするガイドが設けられている付箋紙トレイと、付箋紙トレイにセットされている付箋紙の用紙サイズを判断する用紙情報出力部と、印刷内容に含まれる文字数に対応付けて、当該文字数の文字情報を含む印刷内容の全体を一枚の表面に印刷できる付箋紙のサイズを格納する用紙サイズデータベースと、印刷内容を指定する印刷内容指定部と、印刷内容指定部によって指定された印刷内容に含まれる文字を計数する文字計数部と、用紙サイズデータベースにおいて、文字計数部が計数した文字数以上の文字数に対応付けられている用紙サイズを読み出すと共に、当該読み出した用紙サイズと付箋紙トレイにセットされている用紙サイズとに共通する用紙サイズを、利用可能な用紙サイズとして表示すると共に、表示した用紙サイズに対する利用者の選択を受け付ける用紙選択部と、利用者によって選択された用紙サイズと印刷内容とを含む印刷データを出力する印刷データ出力部と、付箋紙を支持している付箋紙トレイを搬送することによって、付箋紙への印刷が実行される印刷実行領域まで付箋紙を搬送するトレイ駆動部と、印刷データを印刷データ出力部から受信すると共に、付箋紙トレイに支持されている付箋紙のうちで、利用者によって選択された用紙サイズの付箋紙に印刷データを印刷する印刷実行部とを備える印刷装置が提供される。これにより、印刷内容の全体を一枚の表面に印刷できる用紙サイズのうち、付箋紙トレイにセットされている用紙サイズの中から、印刷に使用する用紙サイズを利用者に容易に選択させることができる。従って、付箋紙への印刷の仕上がりイメージを利用者に正確に認識させた後に、印刷を実行することができる。
【０００９】
本発明の第３の形態によれば、裏面の一部に接着剤が塗布された付箋紙に利用者が指定した印刷内容を印刷するための印刷データを出力する印刷制御装置と、印刷制御装置から出力される印刷データを付箋紙の表面に印刷する印刷装置とを備える印刷システムであって、印刷制御装置は、印刷内容に含まれる文字数に対応付けて、当該文字数の文字情報を含む印刷内容の全体を一枚の表面に印刷できる付箋紙のサイズを格納する用紙サイズデータベースと、印刷内容を指定する印刷内容指定部と、印刷内容指定部によって指定された印刷内容に含まれる文字を計数する文字計数部と、文字計数部が計数した文字数以上の文字数に対応付けられている用紙サイズを用紙サイズデータベースから読み出して表示すると共に、表示した用紙サイズに対する利用者の選択を受け付ける用紙選択部と、利用者によって選択された用紙サイズと印刷内容とを含む印刷データを印刷装置に出力する印刷データ出力部とを有し、印刷装置は、複数の用紙サイズからなる付箋紙のそれぞれを位置決めするガイドが設けられている付箋紙トレイと、付箋紙トレイにセットされている付箋紙の用紙サイズを判断して印刷制御装置に出力する用紙情報出力部と、利用者によって選択された用紙サイズと印刷内容とを含む印刷データを印刷制御装置から受信すると共に、付箋紙トレイに支持されている付箋紙のうちで、利用者によって選択された用紙サイズの付箋紙に印刷データを印刷する印刷実行部と、付箋紙を支持している付箋紙トレイを搬送することによって、印刷実行部による付箋紙への印刷が実行される印刷実行領域まで付箋紙を搬送するトレイ駆動部とを有し、用紙選択部は、用紙サイズデータベースから読み出す用紙サイズと、印刷装置から受信する用紙サイズとに共通する用紙サイズを、利用可能な用紙サイズとして表示すると共に、利用可能な用紙サイズのうち利用者に選択された用紙サイズを印刷データ出力部に通知し、印刷データ出力部は、利用者によって選択された用紙サイズと印刷内容とを含む印刷データを印刷装置に出力する印刷システムが提供される。これにより、印刷内容の全体を一枚の表面に印刷できる用紙サイズのうち、印刷装置の付箋紙トレイにセットされている用紙サイズの中から、印刷に使用する用紙サイズを利用者に容易に選択させることができる。従って、利用者は、付箋紙への印刷の仕上がりのイメージを印刷制御装置で正確に把握した後に、印刷装置による印刷を実行することができる。
【００１０】
本発明の第４の形態によれば、裏面の一部に接着剤が塗布された付箋紙の表面に利用者が指定した印刷内容を印刷するための印刷データを出力するコンピュータ用のプログラムであって、コンピュータに、印刷内容に含まれる文字数に対応付けて、当該文字数の文字情報を含む印刷内容の全体を一枚の表面に印刷できる付箋紙のサイズを格納する用紙サイズデータベースと、印刷内容を指定する印刷内容指定部と、印刷内容指定部によって指定された印刷内容に含まれる文字を計数する文字計数部と、文字計数部が計数した文字数以上の文字数に対応付けられている用紙サイズを用紙サイズデータベースから読み出して表示すると共に、表示した用紙サイズに対する利用者の選択を受け付ける用紙選択部と、利用者によって選択された用紙サイズと印刷内容とを含む印刷データを出力する印刷データ出力部との機能を実現させるプログラムが提供される。これにより、第１の形態と同様の効果を奏する。
【００１１】
なお、上記の発明の概要は、本発明の必要な特徴の全てを列挙したものではなく、これらの特徴群のサブコンビネーションもまた、発明となりうる。
【発明を実施するための最良の形態】
【００１２】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１３】
図１は、印刷システム３００の構成を示す。印刷システム３００は、印刷制御装置の一例であるホスト・コンピュータ２００と、印刷装置の一例であるプリンタ１００とを備える。ホスト・コンピュータ２００は、裏面の一部に接着剤が塗布された付箋紙の表面に利用者が指定した印刷内容を印刷するための印刷データをプリンタ１００に出力する。プリンタ１００は、ホスト・コンピュータ２００から出力される印刷データを付箋紙に印刷する。尚、本実施形態において、接着剤とは、二つの物を貼り合せるのに用いる物質を意味し、接着力は問わない。例えば、後で剥がすことができ、一時的な接着に用いる粘着剤などの物質と、より強力に、半永久的な接着に用いる物質とを含む。プリンタ１００はボックス形の形状を成し、ボックス形のハウジング１０３の前面にフロントカバー１０８が設けられている。フロントカバー１０８は、手前側に向けて開いた状態（使用状態：図示せず）と図示する様に閉じた状態（非使用状態）とを回動自在に設けられ、開いた状態では、記録が行われた記録用紙の排出と、付箋紙トレイ１３３（図２参照）の出し入れ動作が可能となる。フロントカバー１０８の下部には給紙カセット１３０が着脱自在に設けられ、手前側に引き出して取り外すことにより、記録用紙をセットすることができる。フロントカバー１０８の上方にはインクカートリッジユニット１１５が設けられ、該インクカートリッジユニット１１５には、複数のインクカートリッジ１１６（図３参照）がプリンタ１００の幅方向に並んで着脱自在に設けられている。
【００１４】
続いて、図２及び図３を参照しながらプリンタ１００の内部構成について概説する。図２は、外部ハウジング１０３を取り外した状態におけるプリンタ１００の外観斜視図を示す。図３は、プリンタ１００の側断面概略図を示す。図２において、プリンタ１００の装置本体は、下部シャーシ１０４と、装置本体の幅方向（主走査方向）に延びるメインフレーム１０５と、該メインフレーム１０５の両側に立設される、装置本体の奥行き方向（副走査方向）に平行なサイドフレーム右１０６及びサイドフレーム左１０７とによって、その基体が構成されている。サイドフレーム右１０６とサイドフレーム左１０７との間には主走査方向に延びる主キャリッジガイド軸１１１と副キャリッジガイド軸１１２とが副走査方向に所定の間隔を置いて軸支されている。
【００１５】
主キャリッジガイド軸１１１及び副キャリッジガイド軸１１２はキャリッジ１１３を主走査方向にガイドする為のガイド軸であり、主キャリッジガイド軸１１１はキャリッジ１１３の後部を挿通し、副キャリッジガイド軸１１２はキャリッジ１１３の前部を下から支持して、これによって記録ヘッド１１４（図３）と記録用紙Ｐとの間の距離（プラテンギャップ：以下「ＰＧ」と言う）が規定される。
【００１６】
続いて、図３を参照しながら「被印刷媒体」としての記録用紙Ｐ及び付箋紙Ｍならびに「被搬送媒体」としての付箋紙トレイ１３３の搬送経路を説明する。プリンタ１００は、上述した様に装置底部に給紙カセット１３０を着脱自在に備えている。給紙カセット１３０には複数枚の記録用紙Ｐが堆積状態にセット可能となっていて、その底部には、ホッパ１３１が設けられている。ホッパ１３１は揺動軸１３１ａを中心に揺動可能に設けられ、セットされた記録用紙Ｐを下方から押し上げることにより、上部に設けられた給送ローラ１２８に記録用紙Ｐの束を圧接させる。
【００１７】
給送ローラ１２８は側面視略Ｄ形の形状を成し、外周は高摩擦部材（例えば、ゴム材）によって形成されている。記録用紙Ｐの給送時には給送ローラ１２８の円弧部分に圧接した最上位の記録用紙Ｐが、給送ローラ１２８の回転によって、下流側（図３の右側）へ給送される。また、給送ローラ１２８の下部には、給送ローラ１２８の円弧部分と圧接する摩擦分離手段（図示せず）が設けられていて、当該摩擦分離手段と給送ローラ１２８との間で記録用紙Ｐを挟圧することにより、給送されるべき最上位の記録用紙Ｐと、重送されようとする次位以降の記録用紙Ｐとを分離する様になっている。
【００１８】
給送ローラ１２８の下流側には搬送用（ＰＦ）モータ１６４（図４参照）によって回転駆動される搬送駆動ローラ１２１と、該ローラに接して従動回転する搬送従動ローラ１２２とが設けられ（当該ローラ対を「搬送ローラ」という）、当該搬送ローラによって記録用紙Ｐをニップし且つ搬送駆動ローラ１２１が回転駆動されることにより、記録用紙Ｐが記録ヘッド１１４の下へ搬送される。搬送駆動ローラ１２１の下流側には記録ヘッド１１４とプラテン１２０とが上下に対向する様に設けられ、搬送された記録用紙Ｐは、プラテン１２０によって下から支持された状態において、記録ヘッド１１４からインク滴が吐出（噴射）されることにより、印刷が行われる。記録ヘッド１１４はキャリッジ１１３の底部に設けられているが、主走査方向に往復動する当該キャリッジ１１３にはインクカートリッジが搭載されておらず、キャリッジ１１３の主走査領域の上方に複数のインクカートリッジ１１６が、主走査方向に並んで着脱自在に配設されている。そして、図示を省略するインクチューブを介してキャリッジ１１３へとインクが供給される様になっている。
【００１９】
記録ヘッド１１４の下流側にはＰＦモータ１６４によって回転駆動される排出駆動ローラ１２３と該ローラに接して従動回転する排出従動ローラ１２４とが設けられ、これらローラによって記録用紙Ｐをニップし且つ排出駆動ローラ１２３が回転駆動されることにより、記録用紙Ｐがプリンタ１００外部へ排出される。
【００２０】
一方、「被印刷媒体」としての付箋紙Ｍを位置決めして支持する付箋紙トレイ１３３は、給紙カセット１３０の上方に配置されている。付箋紙Ｍは、複数枚重ねられた最下段に接着剤のない台紙が貼り付けられており、この状態で一冊の付箋紙Ｍとして取り扱われる。付箋紙トレイ１３３は、複数の用紙サイズを有する付箋紙Ｍのそれぞれを位置決めする窪み状のガイドが設けられている。本実施例の付箋紙トレイ１３３は、当該ガイドの上流側、即ち図３に示したプリンタ１００の左側に接着剤の方向を向け、さらに裏面、つまり台紙側を下側に向けて、付箋紙Ｍをセットするように定められている。付箋紙トレイ１３３には、付箋紙Ｍを上述のように装填するように指示する接着剤位置表示１３４が設けられている。
【００２１】
給送ローラ１２８の上流側には、付箋紙Ｍを付箋紙トレイ１３３の窪みに対して付勢する付箋紙拘束手段６５が設けられている。付箋紙拘束手段６５の先端には、付箋紙トレイ１３３の搬送方向に回転するローラが設けられている。付箋紙拘束手段６５が付箋紙Ｍの上面を下方に押さえつけることにより、付箋紙Ｍの端部が上方に捲れ上がることを防止できる。付箋紙トレイ１３３の側端にはラック１３７（図２参照）が形成され、該ラック１３７と噛合する図示しないピニオン歯車の回動により、ほぼ水平に真っ直ぐに移動できる様に構成されている。そして、付箋紙トレイ１３３は、前記ピニオン歯車の回動によってトレイ先端が搬送駆動ローラ１２１と搬送従動ローラ１２２とにニップされるまで搬送された後、以降は搬送駆動ローラ１２１の回転による駆動力を受けて、下流方向或いは上流方向に送られる。また、付箋紙Ｍのセット時或いは取り出し時には、搬送駆動ローラ１２１の回転による駆動力を受けて図２の仮想線で示す位置（排出位置）まで送られる。尚、この様な付箋紙トレイ１３３の出し入れ操作は、トレイＳＷ１３６（図７）を押下することによって実行可能となっている。
【００２２】
図４は、印刷システム３００の機能構成を示すブロック図である。ホスト・コンピュータ２００は、印刷内容指定部２０、ファイル格納部２２、文字計数部２４、用紙サイズデータベース２６、用紙選択部２８、及び印刷データ出力部１８を有する。一方、プリンタ１００は、前述の付箋紙トレイ１３３に加え、用紙情報出力部５２と、トレイ駆動部５８と、印刷実行部５６とを有する。用紙サイズデータベース２６は、印刷内容に含まれる文字数に対応付けて、当該文字数の文字情報を含む印刷内容の全体を一枚の表面に印刷できる付箋紙Ｍのサイズを予め格納する。印刷内容指定部２０は、印刷内容に関する利用者の指定を受け付ける。利用者は、印刷内容をキーボードなどの文字入力手段を用いて指定してもよいし、ファイル格納部２２に格納されているファイルを印刷内容として指定してもよい。
【００２３】
文字計数部２４は、印刷内容指定部２０によって指定された印刷内容に含まれる文字を計数する。用紙選択部２８は、文字計数部２４が計数した文字数以上の文字数に対応付けられている用紙サイズを用紙サイズデータベース２６から読み出して表示する。さらに、表示した用紙サイズに対する利用者の選択を受け付ける。印刷データ出力部１８は、利用者によって選択された用紙サイズと印刷内容とを含む印刷データをプリンタ１００に出力する。トレイ駆動部５８は、付箋紙Ｍを支持している付箋紙トレイ１３３を搬送することによって、印刷実行部５６による付箋紙Ｍへの印刷が実行される印刷実行領域まで付箋紙Ｍを搬送する。印刷実行部５６は、利用者によって選択された用紙サイズと印刷内容とを含む印刷データをホスト・コンピュータ２００から受信すると共に、付箋紙トレイ１３３に支持されている付箋紙Ｍのうちで、利用者によって選択された用紙サイズの付箋紙Ｍに印刷データを印刷する。
【００２４】
以上のように構成された印刷システム３００によれば、印刷内容の全体を一枚の表面に印刷できる用紙サイズを容易に選択でき、選択した用紙サイズをプリンタ１００に通知できる。従って、印刷内容の全体を一枚の表面に印刷した付箋紙をプリンタ１００で容易に出力できる。
【００２５】
図５は、用紙サイズデータベース２６のデータフォーマットの一例を示す図である。用紙サイズデータベース２６は、印刷内容に含まれる文字数に対応付けて、当該文字数の文字情報を含む印刷内容の全体を一枚の表面に印刷できる付箋紙Ｍのサイズを予め格納している。例えば、文字数３０の印刷内容は、用紙サイズＡに対応付けられており、文字数９０の印刷内容は、用紙サイズＣに対応付けられている。尚、用紙サイズデータベース２６は、標準のフォントサイズで印刷内容を印刷する場合を前提としている。従って、フォントサイズを縮小することにより、付箋紙Ｍの各サイズには標準のフォントサイズよりも多くの文字数を含む印刷内容を付箋紙Ｍの一枚の表面に印刷できる。
【００２６】
図６は、印刷システム３００が付箋紙Ｍへの印刷を実行する動作フローである。まず、印刷内容指定部２０は、印刷内容としてテキストファイルの指定を受け付ける（Ｓ３００）。テキストファイルは、キーボードなどの入力手段を用いて作成されてもよいし、ファイル格納部２２に格納されているテキストファイルの選択を受け付けてもよい。次に、文字計数部２４は、印刷内容指定部２０によって指定された印刷内容に含まれる文字を計数する（Ｓ３０２）。用紙選択部２８は、文字計数部２４が計数した文字数以上の文字数に対応付けられている用紙サイズを用紙サイズデータベース２６から読み出して表示する（Ｓ３０４）。
【００２７】
次に、用紙情報出力部５２は、付箋紙トレイ１３３にセットされている付箋紙Ｍの用紙サイズを判断して用紙選択部２８に通知する（Ｓ３０８）。用紙選択部２８は、プリンタ１００にセットされている付箋紙Ｍの用紙サイズが、用紙サイズデータベース２６において文字計数部２４が計数した文字数以上の文字数に対応付けられている用紙サイズよりも小さいか否かを判断する（Ｓ３１０）。プリンタ１００にセットされている用紙サイズが、用紙サイズデータベース２６から読み出した用紙サイズよりも小さい場合（Ｓ３１０：Ｙｅｓ）、プリンタ１００にセットされている付箋紙Ｍの一枚の表面に印刷内容の全体を印刷する場合の縮小率を計算する（Ｓ３１８）。更に、当該縮小率に応じた印刷内容の印刷プレビュー（Ｓ３２０）と、当該印刷プレビューに対応する印刷を実行するか否かの確認要求（Ｓ３２２）を表示する。印刷プレビューに対応する印刷を実行する旨の指示が入力された場合（Ｓ３２２：Ｙｅｓ）、縮小率と印刷内容を含む印刷データを印刷実行部５６に出力する（Ｓ３２４）。ステップ３２２において、印刷プレビューに対応する印刷を実行する旨の指示が入力されない場合（Ｓ３２２：Ｎｏ）、本フローを終了する。
【００２８】
尚、本実施形態における印刷内容の縮小は、印刷内容を表示するフォントのフォントサイズを縮小することを含む。
【００２９】
一方、ステップ３１０において、プリンタ１００にセットされている用紙サイズが、用紙サイズデータベース２６から読み出した用紙サイズ以上である場合（Ｓ３１０：Ｎｏ）、用紙サイズデータベース２６から読み出す用紙サイズと、プリンタ１００から受信した用紙サイズとに共通する用紙サイズを、利用可能な用紙サイズとして表示する（Ｓ３１２）。そして、利用可能な用紙サイズのうち印刷に利用する用紙サイズの選択を受け付け、利用者に選択された用紙サイズを印刷データ出力部１８に通知する（Ｓ３１４）。印刷データ出力部１８は、利用者によって選択された用紙サイズと印刷内容とを含む印刷データを印刷実行部５６に出力する（Ｓ３１６）。
【００３０】
トレイ駆動部５８は、付箋紙Ｍを支持している付箋紙トレイ１３３を搬送することによって、印刷実行部５６による付箋紙Ｍへの印刷が実行される印刷実行領域まで付箋紙Ｍを搬送する（Ｓ３２６）。印刷実行部５６は、利用者によって選択された用紙サイズと印刷内容とを含む印刷データを印刷データ出力部１８から受信すると共に、付箋紙トレイ１３３に支持されている付箋紙Ｍのうちで、利用者によって選択された用紙サイズの付箋紙Ｍに印刷データを印刷する（Ｓ３３０）。以上で本フローを終了する。
【００３１】
以上の動作フローによれば、印刷内容の全体を一枚の表面に印刷できる用紙サイズのうち、付箋紙トレイ１３３にセットされている用紙サイズの中から、印刷に使用する用紙サイズを利用者に容易に選択させることができる。従って、付箋紙Ｍへの印刷の仕上がりイメージを利用者に正確に認識させた後に、印刷を実行することができる。また、プリンタ１００にセットされている付箋紙Ｍの用紙サイズが、印刷内容の文字数に応じて用紙サイズデータベース２６から読み出される用紙サイズより小さい場合でも、用紙サイズに合わせて印刷内容を縮小するので、付箋紙の一枚の表面に印刷内容の全体を印刷することができる。
【００３２】
なお、他の実施形態として、プリンタ１００は上述したホスト・コンピュータ２００の機能を備えてもよい。この場合、プリンタ１００は、上述の実施形態における構成に加えて、印刷内容指定部２０、ファイル格納部２２、文字計数部２４、用紙サイズデータベース２６、用紙選択部２８、及び印刷データ出力部１８を有する。さらに、印刷プレビューを表示する小型の液晶モニタ（不図示）と、印刷内容指定部２０及び用紙選択部２８に対するユーザの入力を受け付ける複数のボタン（不図示）を有する。各部の動作は、第１の実施形態と同様なので説明を省略する。本実施例のプリンタ１００は、上述の実施例における印刷システム３００と同様の効果を奏する。
【００３３】
尚、記録媒体７０は、ホスト・コンピュータ２００を、印刷内容指定部２０、ファイル格納部２２、文字計数部２４、用紙サイズデータベース２６、用紙選択部２８、及び印刷データ出力部１８として機能させるプログラムを格納する。あるいは、記録媒体７０は、プリンタ１００を、印刷内容指定部２０、ファイル格納部２２、文字計数部２４、用紙サイズデータベース２６、用紙選択部２８、印刷データ出力部１８、用紙情報出力部５２、印刷実行部５６、及びトレイ駆動部５８として機能させるプログラムを格納してもよい。
【００３４】
上記プログラムは単一の記録媒体に格納されても複数の記録媒体に格納されても良い。また記録媒体７０に格納されるプログラムは、オペレーティングシステムとの共同によってそれぞれの機能を提供してもよい。例えば、プログラムは、機能の一部または全部を行うことをオペレーティングシステムに依頼し、オペレーティングシステムからの応答に基づいて機能を提供するものであってもよい。
【００３５】
プログラムを格納する記録媒体７０としては、フレキシブルディスク、ＣＤ−ＲＯＭの他にも、ＤＶＤ、ＰＤ等の光学記録媒体、ＭＤ等の光磁気記録媒体、テープ媒体、磁気記録媒体、フラッシュメモリ、ＩＣカード、ミニチュアーカード等の半導体メモリー等を用いることができる。又、専用通信ネットワークやインターネットに接続されたサーバシステムに設けたハードディスクまたはＲＡＭ等の格納装置を記録媒体として使用してもよい。
【００３６】
図７は、プリンタ１００の各種制御を行う制御部１５０の機能構成を示すブロック図である。制御部１５０は、プリンタ１００に印刷情報を送信するホスト・コンピュータ２００との間でデータの送受信が可能に構成され、ホスト・コンピュータ２００とのインタフェース（ＩＦ）１５１と、ＡＳＩＣ１５２、ＲＡＭ１５３、ＰＲＯＭ１５４、ＥＥＰＲＯＭ１５５、ＣＰＵ１５６、タイマＩＣ１５７、ＤＣユニット１５８、搬送用モータ（ＰＦモータ）ドライバ１６１、キャリッジモータ（ＣＲモータ）ドライバ１６０、ヘッドドライバ１５９を備えている。ＣＰＵ１５６はプリンタ１００の制御プログラムを実行する為の演算処理や各種の演算処理を実行し、タイマＩＣ１５７は、ＣＰＵ１５６に対して各種処理を実行するための周期的な割り込み信号を発生させる。ＡＳＩＣ１５２は、ホスト・コンピュータ２００からＩＦ１５１を介して送信される印刷データに基づいて印刷解像度や記録ヘッド１１４の駆動波形等を制御する。ＲＡＭ１５３は、ＡＳＩＣ１５２およびＣＰＵ１５６の作業領域や他のデータの１次格納領域として用いられ、ＰＲＯＭ１５４およびＥＥＰＲＯＭ１５５には、プリンタ１００を制御する為の制御プログラム（ファームウェア）および処理に利用するデータが格納されている。
【００３７】
ＤＣユニット１５８は、ＤＣモータ（ＣＲモータ１６３及びＰＦモータ１６４）の速度を制御する為の制御回路であり、図示を省略するＰＩＤ制御部、加速制御部、ＰＷＭ制御回路等を有している。ＤＣユニット１５８は、ＣＰＵ１５６から送られてくる制御命令と、ロータリエンコーダ１６８、リニアエンコーダ１９２、記録用紙Ｐの通過を検出する紙検出器１１９、ＰＷセンサ１２７、等の検出手段からの出力信号に基づいてＤＣモータの速度を制御する為の制御パラメータを計算する。そして計算した制御パラメータをＣＲモータドライバ１６０及びＰＦモータドライバ１６１に送出する。
【００３８】
ＰＦモータドライバ１６１は、ＤＣユニット１５８の制御の下、ＰＦモータ１６４を駆動制御する。ＰＦモータ１６４は、本実施形態においては複数の駆動対象、即ち、前述した給送ローラ１２８、搬送駆動ローラ１２１、排出駆動ローラ１２３を回動させ、更に、付箋紙トレイ１３３の側端に形成されたラック１３７（図２参照）と噛合するピニオン歯車（図示せず）を回転駆動して、付箋紙トレイ１３３を搬送する。
【００３９】
ＣＲモータドライバ１６０は、ＤＣユニット１５８の制御の下、ＣＲモータ１６３を駆動制御することによりキャリッジ１１３を主走査方向に往復動させ、または停止・保持させる。ヘッドドライバ１５９は、ＣＰＵ１５６の制御の下、ホスト・コンピュータ２００から送信された印刷データに従って記録ヘッド１１４を駆動制御する。
【００４０】
ＣＰＵ１５６およびＤＣユニット１５８には、搬送される用紙Ｐの始端および終端を検出する紙検出器１１９からの検出信号と、ＰＦモータ１６４の回転量、回転方向、回転速度を検出する為のロータリエンコーダ１６８からの出力信号と、キャリッジ１１３の主走査方向における絶対位置を検出するリニアエンコーダ１９２からの出力信号とが与えられる。また、ＣＰＵ１５６及びＤＣユニット１５８には、ＰＷセンサ１２７からの出力信号も与えられる。このＰＷセンサ１２７は、キャリッジ１１３の底部に設けられる光学センサであり、記録用紙Ｐ或いは付箋紙トレイ１３３に向けて発光する発光部（図示せず）と、記録用紙Ｐ或いは付箋紙トレイ１３３からの反射光を受光する受光部（図示せず）とを備える。ＰＷセンサ１２７は、キャリッジ１１３の走査によって記録用紙Ｐの幅を検出するとともに、付箋紙トレイ１３３に付された識別マーク（図示せず）を認識することにより、付箋紙トレイ１３３の送り方向位置を検出する。更に、付箋紙トレイ１３３上の付箋紙Ｍの有無と、付箋紙Ｍの外形位置を検出する。
【００４１】
ロータリエンコーダ１６８は、プーリ１９１に取り付けられる円盤状スケール１６８ｂと、透光部１６８ｃに対して発光する発光部（図示せず）および透光部を通過した光を受光する受光部（図示せず）を含む検出部１６８ａとを有している。円盤状スケール１６８ｂは、外周部に多数の透光部１６８ｃを有する。ここで、プーリ１９１は無端ベルトを介してＰＦモータ１６４によって回動駆動される。プーリ１９１は軸１６７を回動軸とする歯車１７０と一体に形成され、歯車１７０は、搬送駆動ローラ１２１の軸端に取り付けられた歯車１７１と噛合する。従ってこれにより、ＰＦモータ１６４の動力が搬送駆動ローラ１２１に伝達される。
【００４２】
円盤状スケール１６８ｂが回動すると、検出部１６８ａは透光部１６８ｃを通過する光によって形成される立ち上がり信号と立ち下がり信号とを出力し、制御部１５０は、この様なロータリエンコーダ１６８からの出力信号を受信することによって、搬送駆動ローラ１２１の回転量、回転速度、回転方向を検出する。これにより、制御部１５０は、目的とする記録用紙Ｐ或いは付箋紙トレイ１３３の送り制御を実行することができる。
【００４３】
続いて、リニアエンコーダ１９２は、主走査方向に長い符号板（図示せず）と、該符号板において主走査方向に複数形成された透光部（図示せず）に対して発光する発光部（図示せず）および透光部を通過した光を受光する受光部（図示せず）から構成され、透光部を通過する光によって形成される立ち上がり信号と立ち下がり信号とを出力し、キャリッジ１１３の主走査方向における絶対位置を検出する。
【００４４】
尚、ＰＦモータドライバ１６１、ＰＦモータ１６４、ロータリエンコーダ１６８、歯車１７０、１７１、搬送駆動ローラ１２１、搬送従動ローラ１２２、及びプーリ１９１は、図４で説明したトレイ駆動部５８の一例である。また、キャリッジ１１３、記録ヘッド１１４、キャリッジモータドライバ１６０、ヘッドドライバ１５９、ＣＲモータ１６３、及びリニアエンコーダ１９２は、印刷実行部５６の一例である。また、ＰＷセンサ１２７、ＩＦ１５１、及びＡＳＩＣ１５２は、用紙情報出力部５２の一例である。
【００４５】
制御部１５０には電源ＳＷ１３５およびトレイＳＷ１３６からの信号も入力される。電源ＳＷ１３５はプリンタ１００を休止状態（電源オフ状態）にするための操作スイッチであり、トレイＳＷ１３６は付箋紙トレイ１３３を出し入れするための操作スイッチである。これらのスイッチが押下されると、当該押下されたことを示す信号が制御部１５０へと送信され、付箋紙トレイ１３３を出し入れするための制御が実行される。
【００４６】
以下、電源ＳＷ１３５或いはトレイＳＷ１３６（図７）が押下された際の制御について図８乃至図１１を参照しながら説明する。ここで、図８はトレイＳＷ１３６が押下された際の制御内容を示すフローチャート、図９は電源ＳＷ１３５が押下された際の制御内容を示すフローチャート、図１０は付箋紙トレイ１３３の各位置を示す説明図、図１１はプリンタ１００の電源オフ状態における側断面概略図である。
【００４７】
図８において、トレイＳＷ１３６の押下信号が入力されると（ステップＳ１０１：Ｙ）、現在のトレイ位置を判断する（ステップＳ１０２）。ここで、トレイ位置は、図１０（Ａ）に示す格納位置と、図１０（Ｂ）に示す排出位置と、図１０（Ｃ）に示す「被記録媒体保持位置」を兼ねる頭出し位置とがある。図１０（Ａ）に示す格納位置は、付箋紙トレイ１３３が最も上流側（図３の左側：図１０の上側）に送られる位置であり、付箋紙トレイ１３３が当該格納位置にあるときには、給紙カセット１３０（図２）からの給紙が実行可能となっている。図１０（Ｂ）に示す排出位置は、付箋紙トレイ１３３が最も下流側（図３の右側：図１０の下側）に送られる位置であり、付箋紙トレイ１３３が当該排出位置にあるときに、付箋紙トレイ１３３への付箋紙Ｍのセットが可能となる。図１０（Ｃ）に示す頭出し位置は、付箋紙Ｍへの記録実行を開始する際の初期の位置であるとともに、後述するように付箋紙Ｍが付箋紙トレイ１３３にセットされ、且つ、プリンタ１００が電源オフ状態となったときの付箋紙トレイ１３３の位置、即ち被記録媒体保持位置である。
【００４８】
次に、現在位置が格納位置または頭出し位置にあるときには、付箋紙トレイ１３３を排出位置まで移動する（ステップＳ１０７）。これにより、ユーザは付箋紙トレイ１３３に付箋紙Ｍをセットしたり、或いは、セットした付箋紙Ｍを取り出すことができる。
【００４９】
一方、現在位置が排出位置にあるときには、付箋紙Ｍの外形位置を検出する（ステップＳ１０３）。付箋紙Ｍの外形位置の検出動作は、キャリッジ１１３の底部に設けられたＰＷセンサ１２７（図７）を利用して、キャリッジ１１３の移動による主走査および搬送駆動ローラ１２１の回転による副走査を実行しながら、付箋紙Ｍの外形位置を検出する。
【００５０】
付箋紙Ｍの外形検出結果に基づいて、付箋紙Ｍが付箋紙トレイ１３３にセットされていないと判断された場合には（ステップＳ１０４：Ｙ）、付箋紙トレイ１３３を格納位置へ移動させる（ステップＳ１０６）。一方、付箋紙Ｍが付箋紙トレイ１３３にセットされている場合には（ステップＳ１０４：Ｎ）、付箋紙Ｍへの記録動作に備えて、付箋紙トレイ１３３を頭出し位置へ送る（ステップＳ１０５）。これにより、後に記録データを受信した場合に、速やかに記録動作を開始することができる。
【００５１】
次に、電源オン状態において電源ＳＷ１３５が押下された場合について図９を参照しながら説明する。電源ＳＷ１３５の押下信号が入力すると（ステップＳ２０１：Ｙ）、付箋紙トレイ１３３の付箋紙Ｍの有無を判定する（ステップＳ２０２）。付箋紙Ｍの有無は、上述したステップ１０３における付箋紙Ｍの外形検出結果がＲＡＭ１５３（図７）に書き込まれている。従ってＲＡＭ１５３の記録内容を読み出すことにより、付箋紙Ｍの有無を判別することができる。尚、電源ＳＷ１３５が押下された場合に、付箋紙Ｍの外形検出を改めて実行することにより、付箋紙Ｍの有無を判断しても良い。
【００５２】
付箋紙Ｍがセットされていない場合（ステップＳ２０２：Ｙ）、ＥＥＰＲＯＭ１５５（図７）に"付箋紙無し"フラグを記録する（ステップＳ２０３）。ここで、揮発性のＲＡＭ１５３に書き込まず不揮発性のＥＥＰＲＯＭ１５５に書き込むのは、プリンタ１００の電源をオフにしても付箋紙Ｍの有無情報を保持する為である。そして、付箋紙トレイ１３３を格納位置へと移動し、終了する（電源がオフ状態となる）。
【００５３】
一方、付箋紙Ｍがセットされている場合（ステップＳ２０２：Ｎ）、ＥＥＰＲＯＭ１５５（図７）に"付箋紙有り"フラグを記録し（ステップＳ２０５）、付箋紙トレイ１３３を頭出し位置へと移動する（ステップＳ２０６）。
【００５４】
ここで、付箋紙Ｍがセットされている場合には、上述の通り付箋紙トレイ１３３が頭出し位置へ移動するが、当該頭出し位置においては、図１１に示す様に、付箋紙Ｍが搬送駆動ローラ１２１と搬送従動ローラ１２２とによってニップされた状態になる。
【００５５】
これにより、以下の様な作用効果を得ることができる。即ち、付箋紙トレイ１３３に付箋紙Ｍがセットされた状態において、付箋紙トレイ１３３が図３に示す様な格納位置にあるときには付箋紙Ｍは非拘束状態になる。この状態では、プリンタ１００の取り扱い時或いは輸送時等にプリンタ１００を傾けたり天地逆にした場合、プリンタ１００内部において付箋紙Ｍが付箋紙トレイ１３３から脱落し、復旧不可能となるおそれがある。
【００５６】
しかし、上述の通り制御部１５０は、プリンタ１００が電源オフ状態（休止状態）へ遷移する場合に、付箋紙Ｍが搬送駆動ローラ１２１と搬送従動ローラ１２２とにニップされた状態となる頭出し位置（被記録媒体保持位置）に付箋紙トレイ１３３を送り、そして停止させる。従って、プリンタ１００が電源オフ状態（休止状態）にあるときには付箋紙トレイ１３３にセットされた付箋紙Ｍが確実にニップされた状態（拘束状態）となる。これにより、取り扱い時或いは輸送時等にプリンタ１００を傾けたり天地逆にしても、プリンタ１００内部において付箋紙Ｍが付箋紙トレイ１３３から脱落するといった不具合を招くことがない。また、既存の構成要素即ち搬送駆動ローラ１２１および搬送従動ローラ１２２を利用するので、コストアップを招くことなく、付箋紙Ｍが付箋紙トレイ１３３から脱落する不具合を防止することができる。
【００５７】
更に、付箋紙Ｍが付箋紙トレイ１３３にセットされていない状態で電源ＳＷ１３５が押下された場合には、付箋紙トレイ１３３は頭出し位置（被記録媒体保持位置）に送られず、格納位置へと送られる。従って、再び電源ＳＷ１３５が押下されて記録待機状態となった場合に、付箋紙トレイ１３３の搬送動作を介在させずに、速やかに記録用紙Ｐへの記録動作を開始することができる。
【００５８】
尚、本実施形態においては、図１０（Ｃ）および図１１に示す様に付箋紙Ｍへの記録を開始する際の頭出し位置が、付箋紙トレイ１３３の「被記録媒体保持位置」となっているが、この被記録媒体保持位置は、搬送駆動ローラ１２１と搬送従動ローラ１２２とによって付箋紙Ｍがニップされる様な付箋紙トレイ１３３の位置、即ち付箋紙Ｍのセット領域が搬送駆動ローラ１２１と搬送従動ローラ１２２とによってニップされる位置であれば、どの様な位置であっても構わない。尚、この場合においては、付箋紙トレイ１３３の先端がプリンタ１００の外部に突出していないことが望ましい。
【００５９】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００６０】
【図１】本実施形態に係る印刷システム３００の構成を示す図である。
【図２】本実施形態に係るプリンタ１００の内部外観斜視図である。
【図３】本実施形態に係るプリンタ１００の側断面概略図である。
【図４】印刷システム３００の機能構成を示すブロック図である。
【図５】用紙サイズデータベース２６のデータフォーマットの一例を示す図である。
【図６】印刷システム３００が付箋紙Ｍへの印刷を実行する動作フローである。
【図７】本実施形態に係るプリンタ１００の制御部のブロック図である。
【図８】トレイＳＷ押下時の制御内容を示すフローチャートである。
【図９】電源ＳＷ押下時の制御内容を示すフローチャートである。
【図１０】トレイの各位置を示す説明図である。
【図１１】本実施形態に係るプリンタ２００の側断面概略図である。
【符号の説明】
【００６１】
１８  印刷データ出力部、２０  印刷内容指定部、２２  ファイル格納部、２４  文字計数部、２６  用紙サイズデータベース、２８  用紙選択部、５２  用紙情報出力部、５６  印刷実行部、５８  トレイ駆動部、６５  付箋紙拘束手段、１００  プリンタ、１０３  ハウジング、１０４  下部シャーシ、１０５  メインフレーム、１０６  サイドフレーム右、１０７  サイドフレーム左、１０８  フロントカバー、１１１  主キャリッジガイド軸、１１２  副キャリッジガイド軸、１１３  キャリッジ、１１４  記録ヘッド、１１５  インクカートリッジユニット、１１６  インクカートリッジ、１１９  紙検出器、１２０  プラテン、１２１  搬送駆動ローラ、１２２  搬送従動ローラ、１２３  排出駆動ローラ、１２４  排出従動ローラ、１２７  ＰＷセンサ、１２８  給送ローラ、１３０  給紙カセット、１３１  ホッパ、１３３  付箋紙トレイ、１３４  接着剤位置表示、１３５  電源ＳＷ、１３６  トレイＳＷ、１５０  制御部、１５１  ＩＦ、１５２  ＡＳＩＣ、１５３  ＲＡＭ、１５４  ＰＲＯＭ、１５５  ＥＥＰＲＯＭ、１５６  ＣＰＵ、１５７  タイマＩＣ、１５８  ＤＣユニット、１５９  ヘッドドライバ、１６０  キャリッジ（ＣＲ）モータドライバ、１６１  搬送（ＰＦ）モータドライバ、１６３  キャリッジ（ＣＲ）モータ、１６４  搬送用（ＰＦ）モータ、１６８  ロータリエンコーダ、１９２  リニアエンコーダ、２００  ホスト・コンピュータ、３００  印刷システム
【図１】
2006146523.tif 000003
【図２】
2006146523.tif 000004
【図３】
2006146523.tif 000005
【図４】
2006146523.tif 000006
【図５】
2006146523.tif 000007
【図６】
2006146523.tif 000008
【図７】
2006146523.tif 000009
【図８】
2006146523.tif 000010
【図９】
2006146523.tif 000011
【図１０】
2006146523.tif 000012
【図１１】
2006146523.tif 000013